(57)【要約】      （修正有）【課題】ボリューム感を持たせることができ、中味が良く見える食品用包装容器を提供する。【解決手段】食品を収容する食品用包装容器１１について、基底部１２と、平面視による端縁から基底部に対して上方に立ち上がる周壁と、基底部から下方へ凹み食品を収容する盛り付け凹部１４と、基底部から上方に突出し盛り付け凹部を区切る仕切突起１５とを備え、基底部が周壁から中央に向かって上方に傾斜する傾斜部分１２ａを有する。傾斜部分を設けたため、周壁を低く形成することができ、収容する食品にボリューム感を持たせることができる。【選択図】図２
0003190911.tif 000002
【実用新案登録請求の範囲】
【請求項１】
食品を収容する食品用包装容器であって、
基底部と、平面視による端縁から基底部に対して上方に立ち上がる周壁と、基底部から下方へ凹み食品を収容する盛り付け凹部と、基底部から上方に突出し盛り付け凹部を区切る仕切突起とを備え、
前記基底部が周壁から中央に向かって上方に傾斜する傾斜部分を有する食品用包装容器。
【請求項２】
前記周壁を平面視で矩形状に形成し、その辺部から立ち上がる側壁とその角部から立ち上がる角壁とを備えるものとし、前記仕切突起よりも高さの低い側壁を有する請求項１記載の食品用包装容器。
【請求項３】
平面視で角に位置する盛り付け凹部の裏側に滑り止め段部を設ける請求項１または請求項２記載の食品用包装容器。
【請求項４】
基底部と側壁の高さを側面視で略同じ高さに形成する請求項１〜請求項３何れか１項記載の食品用包装容器。
【請求項５】
角壁を面取り形状に形成する請求項２記載の食品用包装容器。
【考案の詳細な説明】
【技術分野】
【０００１】
本考案は食品の陳列、販売用または持ち帰り用などとして用いられる食品用包装容器に関し、より詳しくは巻き寿司と稲荷寿司を詰め合わせた助六寿司等を収容するのに好適な食品用包装容器に関する。
【背景技術】
【０００２】
スーパーマーケットやコンビニエンスストアー等でお総菜やお弁当、野菜や魚等を陳列、販売するに際し、商品の確認や選択、販売を容易にするために、食品用包装容器にパックした食品が小売りされている。こうした食品用包装容器として、例えば、特開２００８−１８９３６２号（特許文献１）には、生肉、生魚などの食材から放出された液体がトレイ内側の側壁部に移動することを防止して、展示販売中の商品の見栄えを良くした食品用トレイに関する考案が記載されている。
【先行技術文献】
【特許文献】
【０００３】
【特許文献１】特開２００８−１８９３６２号公報
【考案の概要】
【考案が解決しようとする課題】
【０００４】
このように食品用包装容器は、収容する食品の種類に応じた見栄えを良くする工夫がなされているが、一般的にはトレイ状とした食品用包装容器の形状から、収容する食品の一部は食品用包装容器の陰に隠れて見えないのが常である。しかしながら、隠れた部分が多くなると、収容された食品のボリューム感が薄れ商品価値を低めてしまうおそれがある。特に太巻き寿司と稲荷寿司を詰め合わせた助六寿司では、これを購入しようとする消費者は寿司のボリュームを要求し、また太巻き寿司の中味に関心が高いため、できるだけボリューム感を持たせることができ、また中味が見えるような食品用包装容器が要求されている。そこで本考案は、こうした要求を解決するためになされたものである。
【課題を解決するための手段】
【０００５】
上記課題を解決するために、次に示す食品用包装容器を提供する。
即ち、食品を収容する食品用包装容器であって、基底部と、平面視による端縁から基底部に対して上方に立ち上がる周壁と、基底部から下方へ凹み食品を収容する盛り付け凹部と、基底部から上方に突出し盛り付け凹部を区切る仕切突起とを備え、前記基底部が周壁から中央に向かって上方に傾斜する傾斜部分を有する食品用包装容器である。
【０００６】
この食品用包装容器では、基底部を設けたため、盛り付け凹部や仕切突起、周壁を分けることができ、また成形も容易である。また、平面視による端縁から基底部に対して上方に立ち上がる周壁を設けたため、蓋体との係合を可能とし、食品の外方へのはみ出しを抑制することができる。そして、基底部から下方へ凹み食品を収容する盛り付け凹部を設けたため、食品が容器内を横ずれすることを抑えることができる。さらに、基底部から上方に突出し盛り付け凹部を区切る仕切突起を設けたため、食品の横ずれを防止し高さのある食品を整えて載置することができる。加えて、基底部に周壁から中央に向かって上方に傾斜する傾斜部分を設けたため、周壁を低く形成することができ、収容する食品にボリューム感を持たせることができる。
【０００７】
周壁を平面視で矩形状に形成し、その辺部から立ち上がる側壁とその角部から立ち上がる角壁とを備えるものとし、仕切突起よりも高さの低い側壁を有する食品用包装容器とすることができる。
周壁を平面視で矩形状に形成し、その辺部から立ち上がる側壁とその角部から立ち上がる角壁とを備えるものとし、仕切突起よりも高さの低い側壁を有するものとしたため、側壁が低くなり食品の見える部分を大きくすることができる。そして、食品にボリューム感を持たせることができる。
【０００８】
平面視で角に位置する盛り付け凹部の裏側に滑り止め段部を設けることができる。平面視で角に位置する盛り付け凹部の裏側に滑り止め段部を設けたため、食品用包装容器の裏面側の角を持って蓋体を外そうとする際に、指を引っ掛けて蓋を開け易くすることができる。
【０００９】
基底部と側壁の高さを側面視で略同じ高さに形成することができる。基底部と側壁の高さを側面視で略同じ高さとしたため、側壁の位置が低くなり食品の見える部分を大きくすることができる。そして、食品にボリューム感を持たせることができる。
【００１０】
角壁を面取り形状に形成することができる。角壁を面取り形状に形成すれば、面取り形状の両端も角張り、蓋体との引っ掛かりを良くすることができる。そのため、側壁が低く形成されて蓋体との係合が弱まっても、蓋体と食品用包装容器との係合力を高めることができる。
【考案の効果】
【００１１】
本考案によれば、収容される食品にボリュームを持たせることができ、また、食品の中味が良く見える食品用包装容器である。
【図面の簡単な説明】
【００１２】
【図１】第１実施形態の食品用包装容器を示し、分図（Ａ）はその平面図、分図（Ｂ）はその正面図である。
【図２】図１の食品用包装容器の各部の高さを示す説明図である。
【図３】改良前の食品用包装容器を示し、分図（Ａ）はその平面図、分図（Ｂ）はその正面図である。
【図４】図２の食品用包装容器の各部の高さを示す説明図である。
【考案を実施するための形態】
【００１３】
本考案について図面を参照しつつ説明する。図１、図２には巻き寿司（太巻き）と稲荷寿司とを詰め合わせた助六寿司を収容するのに適した食品用包装容器１１を示す。
食品用包装容器１１は、基底部１２と、平面視による端縁から基底部１２に対して上方に立ち上がる周壁１３と、基底部１２から下方へ凹み食品を収容する盛り付け凹部１４と、基底部１２から上方に突出し盛り付け凹部１４を区切る仕切突起１５とを備えており、平面視で長方形状に形成されている。
【００１４】
盛り付け凹部１４は、基底部１２から下方へ凹むことでその凹部分に食品を収容するとともに、盛り付け凹部１４の裏面１４ａがテーブル等に載置される脚部ともなっている。本実施形態ではいくつかの盛り付け凹部１４が形成されており、図１(A)左下方に見られる略平行四辺形状の盛り付け凹部１４は、稲荷寿司をその平行四辺形に沿うように３つ収容することができる。また、同図上方に見られる谷形の３つの盛り付け凹部１４と同図左上方に見られる略台形の一つの盛り付け凹部１４には、それぞれの凹部ごとに一つの太巻きを収容することができる。そして、同図右下の三角形の盛り付け凹部１４にはガリを収容することができる。
【００１５】
図１(A)の上方に見られる四つの仕切突起１５は、基底部１２より上方に突出することで、幅に比べて高さのある太巻きを倒れずに傾斜させるように載置する役割を有している。この四つの仕切突起１５のうちの三つの仕切突起１５は、盛り付け凹部１４どうしを区切っており、同図で最も右方に見られる一つの仕切突起１５は、盛り付け凹部１４を基底部１２と区切っている。何れの仕切突起１５も食品を収容すればその陰に隠れて見え難いようになっている。
【００１６】
周壁１３は、図１(A)のような平面視で食品用包装容器を見たときの端縁で、基底部１２に対して上方に立ち上がるように形成されている。また、その周壁１３には水平方向に鍔状に突き出す鍔部１３ａを有しており、別途形成した蓋体と係合させることができるようになっている。
また、周壁１３は、矩形状に形成された端縁の辺部から立ち上がる側壁１３ａと、端縁の角部から立ち上がる角壁１３ｂとに区別される。辺部と角部を区切る明確な境界は無いが、矩形状の頂点から辺部に至る頂点の近傍を含めて角部としている。但し、側壁１３ａは、食品ができるだけ良く見えるように、基底部１２との境界よりはやや高い程度に、かつ全体的に低く形成している。それに対して、角壁１３ｂは、食品用包装容器１１に強度を持たせ、また蓋体との良好な係合具合を維持するために、側壁１３ａから急激に立ち上がる高さを有している。そのため、側壁１３ａと角壁１３ｂとは比較的区別し易く形成されている。
【００１７】
角壁１３ｂはまた、一般的には平面視で円弧状に形成されることが多いが、本実施形態では面取り形状１８に形成している。換言すれば、角の頂点部分を斜め線で切り取ったような角張った形状としている。食品にボリューム感を持たせる食品用包装容器１１にあって、その食品用包装容器１１自体は露出部分が少なくなるため比較的露出部分の多いこの角壁１３ｂを、シャープにそしてすっきりと見せることで、デザインの向上に役立たせている。また、機能面においても、面取り形状１８とすることで頂点が増え、蓋体との係止部分を増やすようにしている。これによって周壁１３を低くしたことによる弱まる側壁１３ａでの蓋体との一体性を角壁１３ｂで補うことができる。
このように、側壁１３ａを低くしたため、上記三つの仕切突起１５は、この側壁１３ａよりも高さが高く形成されるが、仕切突起１５は食品の陰に隠れるため、見栄えが悪くなることはない。
【００１８】
図２は、食品用包装容器１１の盛り付け凹部１４や仕切突起１５、周壁１３や基底部１２といった各部の高さを示す説明図である。比較のため、図３、図４には本考案への改良前の食品用包装容器１を示し、図３(A)はその平面図、図３(B)はその正面図、図４は図２相当の説明図を示す。これらの図において、２は基底部、３は周壁、４は盛り付け凹部、５は仕切突起をそれぞれ表す。
【００１９】
基底部１２は、盛り付け凹部１４が凹状に凹み、また仕切突起１５が凸状に盛り上がる基準となるような基準面を構成する。図２、図４を比較すればわかるように、盛り付け凹部１５は食品を安定的に収容するため、基底部１２からの深さは改良前後で略同等としている。そうした一方で改良品である食品用包装容器１１では、食品の側面の露出度を高めるために側壁１３ａの位置を側壁３ａよりも低くしている。そのため、食品用包装容器１１では基底部１２に、中央から側壁１３ａに向かって下方に傾斜する傾斜部分１２ａ（側壁１３ａから中央に向かって上方に傾斜する傾斜部分１２ａ）を有している。この傾斜部分１２ａは改良前の食品用包装容器１が中央から側壁３ａに向かって上方に傾斜する傾斜部分２ａ（側壁３ａから中央に向かって下方に傾斜する傾斜部分２ａ）を有するのとは対照的である。
こうした傾斜部分１２ａを設けるほど側壁１３ａの基端部分を低めてもその頂点（高い部分）の高さは基底部１２の高さと略同等としている。
【００２０】
このように、食品用包装容器１１では、改良前の食品用包装容器１と同程度の深さの盛り付け突起１４を有し、食品の収容安定性を保ったまま、側壁１３ａの高さを低くして食品の外部から見える面積を大きくして、ボリューム感を持たせてることができる。また、仕切突起１５は食品の陰に隠れるため、その高さは改良前の食品用包装容器１と同程度に維持して、ここでも食品の安定収容性を保持している。
【００２１】
盛り付け凹部１４の裏面１４ａには、図１(B)の拡大図で示すような滑り止め段部１７を設けている。側壁１３ａの位置を下げたことにより、蓋体を開けた際に食品が外にこぼれやすくなったためで、改良前よりも食品を安定させたまま蓋体を開けやすくしている。
本実施形態では、滑り止め段部１７は３つの小段部１７ａ，１７ｂ，１７ｃを形成しており、下側の段部ほど幅は細くなっている。また下側の段部ほど外方への突出長さが長く突き出している。
こうした滑り止め段部１７は、食品用包装容器１１の四隅の一部に設けても良いが、四隅のどこに指を置いても蓋体を開け易くするため、できるだけ多くの隅に設けることが好ましい。
【００２２】
食品用包装容器１１は、合成樹脂製のシート材から真空成形や圧空成形等の熱成形の手段を利用して成形できる。食品用包装容器１１はその表面に種々の装飾がなされることが好ましく不透明材であって良い。
食品用包装容器１１の材質には、低密度ポリエチレン樹脂、高密度ポリエチレン樹脂といったポリエチレン樹脂、ホモポリプロピレン樹脂、エチレン−プロピレンランダム共重合体（ランダムポリプロピレン）樹脂、エチレン−プロピレン共重合体（ブロックポリプロピレン）樹脂などのポリプロピレン系樹脂、その他オレフィンを主体とする共重合体等のポリオレフィン系樹脂、ポリエチレンテレフタレート樹脂、ポリブチレンテレフタレート樹脂などのポリエステル系樹脂、ホモポリスチレン（汎用ポリスチレン）樹脂、スチレン−メチルスチレン共重合体樹脂、スチレン−エチルスチレン共重合体樹脂、スチレン−ブチルスチレン共重合体樹脂、スチレン−ブタジエンブロック共重合体樹脂、スチレン−イソプレンブロック共重合体樹脂などのポリスチレン系樹脂などからなる発泡樹脂シートや非発泡な樹脂シート（樹脂フィルム）を採用することができる。これらの樹脂は単一でも組み合わされていても良く、例えば、ホモポリプロピレン樹脂とランダムポリプロピレン樹脂との混合樹脂やホモポリプロピレン樹脂と低密度ポリエチレン樹脂との混合樹脂、汎用ポリスチレン樹脂とその他のポリスチレン系樹脂との混合樹脂などによって構成された樹脂シートであっても良い。
【００２３】
上記樹脂以外の熱可塑性樹脂シートを採用することも可能であり、例示の樹脂と例示以外の樹脂の混合樹脂からなる熱可塑性樹脂シートとしても良い。例えば、ポリ（２，６）−ジメチル−１，４−フェニレンオキサイド）樹脂などのポリフェニレンエーテル系樹脂を汎用ポリスチレン系樹脂に混合した耐熱ポリスチレン系樹脂からなる熱可塑性樹脂シートとしても良い。
【００２４】
食品用包装容器１１を製造するには、上記樹脂シートに対して真空成形、圧空成形、真空圧空成形、プレス成形等の熱成形方法を採用して成形し、トムソン刃などで外縁を切断して個々の食品用包装容器１１を得ることができる。
【００２５】
なお、上記実施形態で示した例は一例であり、本願考案の趣旨に反しない任意の変更形態を含むものである。即ち、上記実施形態で示した一部の構成を含まなかったり、別の公知の構成を含んだり、代替した構成を採用したりしている場合も本願考案の範囲に含まれる。
【００２６】
例えば、食品用包装容器１１は長方形状に限るものではなく、円形状や長円形状等適宜変更することができる。こうした場合には、上記実施形態で示した角壁１３ｂのような高さの高い部分を周壁１３の一部に設けることが好ましい。
また、滑り止め段部１７についても小段部のような形状に限らず、複数の突起が突出するような形状とすることができる。
【符号の説明】
【００２７】
１，１１    食品用包装容器
２，１２    基底部
２ａ，１２ａ    （基底部の）裏面
３，１３    周壁
３ａ，１３ａ    側壁
３ｂ，１３ｂ    角壁
３ｃ，１３ｃ    鍔部
４，１４    盛り付け凹部
１４ａ    裏面
５，１５    仕切突起
１７    滑り止め段部
１７ａ，１７ｂ，１７ｃ    小段部
１８    面取り形状
【図１】
0003190911.tif 000003
【図２】
0003190911.tif 000004
【図３】
0003190911.tif 000005
【図４】
0003190911.tif 000006